(57)【特許請求の範囲】
【請求項１】
スクイズ性を有する外容器と、外容器の内側に装着された内袋とを備えた二重容器の口部に、気液混合室を備えたフォーマーキャップが取り付けられたフォーマーキャップ付二重容器であって、
内袋の口部周壁の端部がスリットを有するフランジであり、
外容器の口部周壁の天面がフランジに当接し、その当接部位に、外容器と内袋との間の内部空間に連通する間隙が形成され、
フォーマーキャップは、その取り付けにより画されるハウジング内空間が前記間隙を含み、外容器と内袋との間の内部空間の空気を前記間隙を通して気液混合室に供給する空気流入孔を有するフォーマーキャップ付二重容器。
【発明の詳細な説明】
【技術分野】
【０００１】
本発明は、外容器と内袋からなる二重容器に関する。
【背景技術】
【０００２】
アルカリ剤を含有する液状の第１剤と過酸化水素を含有する液状の第２剤とからなる二剤式の染毛剤又は脱色剤といった二剤式毛髪化粧料が知られている。この二剤式毛髪化粧料は、使用時に第１剤と第２剤を混合し、その混合物をスクイズ容器、ポンプ容器等の吐出容器から吐出させることにより使用される（特許文献１）。
【０００３】
かかるスクイズ容器として、スクイズ性を有する外容器の内側に内袋が装着された二重容器を使用する場合、外容器の口部近傍の外容器には、スクイズ後の外容器と内袋との間の内部空間の減圧を常圧に戻すための通気孔が形成される（特許文献２）。
【０００４】
【特許文献１】特開２００４−３３９２１６号公報
【特許文献２】特開２００１−１０６２６３号公報
【発明の開示】
【発明が解決しようとする課題】
【０００５】
従来の二重容器は、その製造工程において、一旦、外容器を樹脂成形した後、別途、通気孔を開口することが必要となる。
【０００６】
これに対し、本発明は、外容器に内袋を装着しただけで、通気孔が形成され、通気孔の開口工程を別途設けることが不要となる新たな二重容器を提供することを目的とする。
【課題を解決するための手段】
【０００７】
本発明者は、外容器内に内袋を装着した場合に、外容器の口部周壁と、内袋の口部周壁との当接部位に間隙ができるようにすると、その間隙を通気孔として使用でき、別途通気孔を開口することが不要になることを見出した。
【０００８】
即ち、本発明は、外容器と、外容器の内側に装着された内袋とを備えた二重容器であって、外容器の口部周壁と内袋の口部周壁との当接部位に、外容器と内袋との間の内部空間に連通する間隙が形成されている二重容器を提供する。
【発明の効果】
【０００９】
本発明の二重容器によれば、外容器の口部周壁と内袋との口部周壁とを当接させることにより形成される間隙が、外容器と内袋との間の内部空間に連通する通液路となるので、外容器に通気孔を形成することが不要となる。
【発明を実施するための最良の形態】
【００１０】
以下、図面を参照しつつ本発明を詳細に説明する。なお、各図中、同一符号は同一又は同等の構成要素を表している。
【００１１】
図１は、本発明の一実施例の二重容器２の口部にフォーマーキャップ１０Ａを取り付けたスクイズフォーマー容器１Ａの斜視図（ａ）と断面図（ｂ）であり、図２は、二重容器２の口部付近のスクイズフォーマー容器１Ａの断面図（ａ）と二重容器２の断面図（ｂ）である。
【００１２】
この二重容器２は、外容器３の内側に内袋４を装着したものであり、この外容器３は厚さ０．４〜１．５ｍｍのポリエチレン、ポリプロピレン等の合成樹脂からなり、押圧により変形し、押圧の解除により復元するスクイズ性を有する。
【００１３】
内袋４は、厚さ０．１〜０．５ｍｍのポリエチレン、ポリプロピレン、ナイロン、エチレンビニルアルコール共重合体、ポリエチレンテレフタレート等の樹脂からなり、変形自在である。
【００１４】
内袋４は、その口部周壁４ａの端部がフランジ８となって突出しており、このフランジ８にはスリット９が形成されている。外容器３の口部周壁３ａは、内袋４の口部周壁４ａと間隙をあけ、その天面を内袋４のフランジ８に当接させている。これにより、スリット９で形成される間隙が、外容器３と内袋４との間の内部空間５を外容器３の外と連通させる通気孔６となり、図２（ｂ）に矢印で示したように、外容器３と内袋４との間の空気Ｂを押し出したり、あるいは、外容器３と内袋４との間に外容器３の外の空気を導入したりすることが可能となる。
【００１５】
なお、このようにスリット９の入ったフランジ８を備えた内袋４は、押出成形とブロー成形により製造することができる。
【００１６】
このスリット９を用いた通気孔６は、生産性向上の点で、従来の外容器３の口部近傍の側面に開口した通気孔に比して好ましい。
【００１７】
一方、フォーマーキャップ１０Ａは、二重容器２内の液体Ａを泡状に吐出するものであり、ハウジング１１内に、液体Ａと空気Ｂを混合する気液混合室１２、及び気液混合室１２の下流（上方）にメッシュ部材１３を備え、該メッシュ部材を介して気液混合室１２と連通するようにハウジング１１の一端（上端）に吐出口１４を有し、ハウジング１１の他端（下端）内壁に外容器３の口部周壁３ａに螺合するネジ部１５を有している。
【００１８】
また、フォーマーキャップ１０Ａを二重容器２に螺合させた場合に、スリット９で形成される通気孔６を含むハウジング内空間１１ａが画されるように、フォーマーキャップ１０Ａは、ハウジング１１と外容器３を、環状パッキング２０を介して密着するシール部１９をネジ部１５の上方に有しており、さらに、気液混合室１２の底面を形成する板状部材２１とフランジ８の天面とを、環状パッキング２３を介して密着させ、二重容器２の口部を閉じるシール部を有している。また、ハウジング１１の天面には、吸気弁のついた吸気孔（弁付吸気孔）２４が形成されている。
【００１９】
したがって、このスクイズフォーマー容器１Ａの使用方法としては、まず、二重容器２の胴部を押圧して凹ませる。これにより、内袋４内が加圧されて液体Ａがディップチューブ１６を通り液体流入孔１７から気液混合室１２に供給されると共に、外容器３と内袋４の間の内部空間５の空気が、スリット９で形成された通気孔６を通ってハウジング内空間１１ａ内に押し出され、空気流入孔１８から気液混合室１２に空気Ｂが供給される。したがって、気液混合室１２で液体Ａは空気Ｂと混合され、メッシュ部材１３を経て吐出口１４から泡状に吐出される。
【００２０】
次に、胴部の押圧を解除すると、外容器３が弾性により押圧前の形状に戻り、外容器３と内袋４との間の内部空間５が減圧になる。そのため、弁付吸気孔２４の弁体の硬さを液体Ａやその泡の粘性等に応じて適宜調整しておくことにより、吐出口１４から空気流入孔１８を経てハウジング内空間１１ａに至る空気の流入経路に優先して弁付吸気孔２４から空気がハウジング内空間１１ａに流入し、さらにスリット９で形成された通気孔６から内部空間５に入り、内部空間５を常圧に戻す。これにより、空気流入孔１８が液体Ａやその泡で塞がれることなく、内袋４が液体Ａの吐出量の分だけつぶれる。以降、二重容器２の胴部の押圧と解除を繰り返すことにより、二重容器２内の液体Ａを泡状に吐出させることができる。
【００２１】
この二重容器２には、種々の吐出キャップを装着することができる。例えば、図３に示す吐出容器１Ｂのように、気液混合室やメッシ部材のない吐出キャップ１０Ｂを上述の二重容器２の口部に取り付けてもよい。この吐出容器１Ｂによれば、二重容器２の胴部をスクイズすると、内袋４が加圧されて液体Ａがディップチューブ１６を通り、吐出口１４から吐出される。次にスクイズを解除すると、外容器３がスクイズ前の形状に復元し、外容器３と内袋４との間の内部空間５が減圧となり、弁付吸気孔２４から空気がハウジング内空間１１ａに流入し、さらにスリット９で形成された通気孔６を通って外容器３と内袋４との間の内部空間５に流入し、内部空間５を常圧に戻す。以降同様にしてスクイズとその解除を繰り返すことにより、二重容器２内の液体を液状のまま吐出させることができる。
【００２２】
本発明の二重容器において、外容器の口部周壁と内袋の口部周壁との当接部位に形成する間隙は種々の態様をとることができる。
【００２３】
例えば、図４に示すように、内袋の口部周壁４ａの端部に、スリットのないフランジ８を形成し、一方、外容器の口部周壁３ａの端部に切欠７を設け、矢印のように内袋４を外容器３内に装着し、外容器の口部周壁３ａの天面を内袋４のフランジ８に当接させることにより、外容器３と内袋４との間の内部空間５に連通する通気路を形成してもよい。
【００２４】
また、本発明の二重容器としては、スクイズ性のないリジッドな外容器と、変形自在な内袋とを組み合わせても良い。このような二重容器は、ポンプディスペンサーを装着する容器として適したものとなる。
【産業上の利用可能性】
【００２５】
本発明の二重容器は、フォーマーキャップ、吐出キャップ、ポンプディスペンサー等の任意の吐出装置を組み合わせ、毛髪化粧料の他、バス、キッチン、トイレ等に用いる洗浄剤等を収容し、吐出させるフォー容器として有用である。
【図面の簡単な説明】
【００２６】
【図１】スクイズフォーマー容器の斜視図（ａ）及び断面図（ｂ）である。
【図２】二重容器の口部付近のスクイズフォーマー容器の断面図（ａ）と二重容器の断面図（ｂ）である。
【図３】吐出キャップを取り付けた二重容器の口部付近の断面図である。
【図４】二重容器の口部付近の説明図である。
【符号の説明】
【００２７】
１Ａ    スクイズフォーマー容器
１Ｂ    吐出容器
２    二重容器
３    外容器
３ａ    外容器の口部周壁
４    内袋
４ａ    内袋の口部周壁
５    内部空間
６    通気孔
７    切欠
８    フランジ
９    スリット
１０Ａ    フォーマーキャップ
１０Ｂ    吐出キャップ
１１    ハウジング
１１ａ  ハウジング内空間
１２    気液混合室
１３    メッシュ部材
１４    吐出口
１５    ネジ部
１６    ディップチューブ
１７    液体流入孔
１８    空気流入孔
１９    シール部
２０    環状パッキング
２１    板状部材
２３    環状パッキング
２４    弁付吸気孔
Ａ    液体
Ｂ    空気
【図１】
0005141880.tif 000002
【図２】
0005141880.tif 000003
【図３】
0005141880.tif 000004
【図４】
0005141880.tif 000005